(57)【要約】【課題】ブランケットの洗浄回数を低減させつつも、箔上にオフセット印刷で画像を印刷することができる印刷物の製造方法を提供すること。【解決手段】表面に箔が設けられた基材上に、オフセット印刷により画像を形成する工程を含む印刷物の製造方法であって、基材上に箔が設けられた積層体を準備する準備工程と、箔上に、オフセット印刷法を用いてメジウム層を形成するメジウム層形成工程と、メジウム層を乾燥させるメジウム層乾燥工程と、乾燥後のメジウム層上に、オフセット印刷法を用いて印刷画像を形成する画像形成工程とを含む。【選択図】図１
2014061618.tif 000002
【特許請求の範囲】
【請求項１】
表面に箔が設けられた基材上に、オフセット印刷により印刷画像を形成する工程を含む印刷物の製造方法であって、
基材上に箔が設けられた積層体を準備する準備工程と、
前記箔上に、オフセット印刷法を用いてメジウム層を形成するメジウム層形成工程と、
前記メジウム層を乾燥させるメジウム層乾燥工程と、
前記乾燥後のメジウム層上に、オフセット印刷法を用いて印刷画像を形成する画像形成工程と、
を含むことを特徴とする印刷物の製造方法。
【請求項２】
前記メジウム層形成工程、及び前記画像形成工程で用いられるブランケットが同一のブランケットであり、
前記印刷画像を形成する前に、前記ブランケットを洗浄する洗浄工程を、さらに含むことを特徴とする請求項１に記載の印刷物の製造方法。
【請求項３】
前記メジウム層形成工程、及び前記画像形成工程で用いられるブランケットが異なるブランケットであることを特徴とする請求項１に記載の印刷物の製造方法。
【発明の詳細な説明】
【技術分野】
【０００１】
本発明は、印刷物の製造方法に関する。
【背景技術】
【０００２】
従来より、画像が形成された基材上にパターン状の金属箔やホログラム箔等の箔を設け、箔の部分を反射させることで意匠性を高めた印画物が知られている。しかしながら、このような印画物は、画像上に単に箔が設けられただけであり、デザイン的には単純なものである。このような状況下、例えば、特許文献１には、基材上に箔が箔押しされ、箔が存する領域と存しない領域とを含む印刷用基材の上にオフセット４色刷りにより印刷が施され、該箔の上に絵柄が形成された印刷物が提案されている。特許文献１に提案がされている印刷物によれば、画像上に箔を設けた場合と比較して、視覚的に新たなデザイン効果を発揮することができる。
【０００３】
上記印刷物の形成に用いられるオフセット印刷法とは、版胴に付けられたインキを、中間転写媒体であるブランケットに一度転写した後に、紙などの基材に再転写し基材上へ印刷を行う印刷方法であり、基材と版胴とを直接触れさせない状態で印刷が行われることから、版胴の摩耗が少なく大量印刷に適するといった利点を有する。
【０００４】
ところで、オフセット印刷に用いられるインキは粘度が高いものが一般的であり、上記特許文献１に提案がされているように、表面に箔が設けられた基材の箔上に、直接オフセット印刷４色刷りで印刷画像を形成した場合には、基材上に設けられた箔がブランケット側にとられ、ブランケットに箔のカスが付着する。そして、このブランケットを使用し続けて箔上へのオフセット４色刷りを繰り返し行っていった場合には、ブランケットに堆積する箔のカスによって、版胴からブランケットへ転写されるインキの量が少なくなり、画像の品質低下を引き起こす。
【０００５】
ブランケットに箔のカスが付着することによる品質低下の問題に対しては、ブランケットの洗浄が有効な手段であるが、特許文献１に提案がされているように、箔上にオフセット印刷法を用いて直接的に印刷画像を形成する場合には、ブランケットに箔のカスが容易に堆積しやすく、頻繁なブランケットの洗浄が必要となる。また、ブランケットの洗浄を行った後に再度オフセット印刷によって箔上に印刷画像を形成する場合には、ブランケットに転写されるインキが安定するまでダミーの印刷を行う必要がある。つまり、ブランケットへの箔のカスの付着は、画像の品質低下のみならず、印刷物の生産性や、製造コストにも悪影響を及ぼすこととなる。
【先行技術文献】
【特許文献】
【０００６】
【特許文献１】特許第４２６６３９８号公報
【発明の概要】
【発明が解決しようとする課題】
【０００７】
本発明はこのような状況に鑑みてなされたものであり、ブランケットの洗浄回数を低減させつつも、箔上にオフセット印刷で印刷画像を形成することができる印刷物の製造方法を提供することを主たる課題とする。
【課題を解決するための手段】
【０００８】
上記課題を解決するための発明は、表面に箔が設けられた基材上に、オフセット印刷により印刷画像を形成する工程を含む印刷物の製造方法であって、基材上に箔が設けられた積層体を準備する準備工程と、前記箔上に、オフセット印刷法を用いてメジウム層を形成するメジウム層形成工程と、前記メジウム層を乾燥させるメジウム層乾燥工程と、前記乾燥後のメジウム層上に、オフセット印刷法を用いて印刷画像を形成する画像形成工程と、を含むことを特徴とする。
【０００９】
また、前記メジウム層形成工程、及び前記画像形成工程で用いられるブランケットが同一のブランケットであり、前記印刷画像を形成する前に、前記ブランケットを洗浄する洗浄工程を、さらに含んでいてもよい。また、前記メジウム層形成工程、及び前記画像形成工程で用いられるブランケットが異なるブランケットであってもよい。
【発明の効果】
【００１０】
本発明の印刷物の製造方法によれば、印刷画像を形成するオフセット印刷時に箔のカスがブランケットに付着することを防止でき、ブランケットの洗浄回数を低減させつつも、高品質な印刷画像をオフセット印刷によって形成することができる。
【図面の簡単な説明】
【００１１】
【図１】本発明の印刷物の製造方法を説明するためのフローチャートである。
【図２】本発明の印刷物の製造方法を説明するための概略断面図である。
【発明を実施するための形態】
【００１２】
以下、本発明の印刷物の製造方法について詳細に説明する。
【００１３】
＜印刷物の製造方法＞
図１、図２に示すように本発明の印刷物の製造方法（以下、単に本発明という場合がある。）は、表面に箔が設けられた基材上に、オフセット印刷により印刷画像を形成する工程を含む印刷物の製造方法であって、図２（ａ）に示すように基材１上に箔２が設けられた積層体３を準備する準備工程（Ｓ１）と、図２（ｂ）に示すように箔２上に、オフセット印刷法を用いてメジウム層１０を形成するメジウム層形成工程（Ｓ２）と、図１（ｃ）に示すようにメジウム層１０を乾燥するメジウム層乾燥工程（Ｓ３）と、図１（ｄ）に示すように乾燥後のメジウム層１０上に、オフセット印刷法を用いて印刷画像３０を形成する画像形成工程（Ｓ４）とを含む。以下、各工程について具体的に説明する。
【００１４】
（準備工程）
準備工程（Ｓ１）は、図２（ａ)に示すように、基材１上に箔２が設けられた積層体３を準備する工程である。
【００１５】
積層体３を構成する基材１について特に限定はなく、シート状の基材であってもよく、ロール状の基材であってもよい。また、基材１の材料についていかなる限定もされることはなく、例えば、紙基材や、耐熱性基材、熱可塑性樹脂基材などを挙げることができる。
【００１６】
積層体３を構成し、基材１上に設けられる箔２についても特に限定はなく、ホログラム箔、金箔、銀箔、色箔、擬金箔等の箔を挙げることができる。基材１上へ箔２を設ける方法について特に限定はなく、従来公知の箔押し機を使用すればよい。
【００１７】
箔２は、基材１の全面に設けられていてもよく、基材１の表面の一部、例えば、パターン状に設けられていてもよい。基材１の厚みについて特に限定はなく通常７０μｍ〜５００μｍ程度である。また、箔２の厚みについても特に限定はないが、通常０．０４〜０．０５μｍ程度である。
【００１８】
（メジウム層形成工程）
メジウム層形成工程（Ｓ２）は、図２（ｂ）に示すように、上記積層体３の箔２上に、オフセット印刷法を用いてメジウム層１０を形成する工程である。
【００１９】
オフセット印刷法によるメジウム層１０の形成は、従来公知のオフセット印刷装置を用いて形成することができる。オフセット印刷装置は、版胴と、中間転写媒体としてのブランケットを備えており、ブランケット上に転写されたメジウムインキを、積層体３の箔２上へ再転写することで箔２上にメジウム層１０が形成される。
【００２０】
以下、メジウム層を形成することなく、箔２上にオフセット印刷によって印刷画像を形成した場合を例に挙げ、メジウム層形成工程を備える本発明の優位性について具体的に説明する。
【００２１】
オフセット印刷法を用いて、箔２上に直接的に印刷画像を形成していった場合には、印刷画像を形成するための画像形成用インキによって箔の一部はブランケット側にとられていき（以下、ブランケット側にとられていく箔のことを箔のカスという。）ブランケットに付着する。箔のカスが付着したブランケットを使用し続けて、オフセット印刷法により、箔２上に繰り返し印刷画像の形成を行っていった場合には、ブランケットには箔２のカスが堆積していく。ブランケットへの箔２のカスの堆積量が多くなるにつれ、ブランケットへの画像形成用インキの転写量は減少していき、箔２上に形成される印刷画像の品質低下を引き起こす。特に、高品質の印刷画像を形成する場合には、ブランケットに安定した膜厚の画像形成用インキが転写されることが必要であり、箔上への印刷画像を形成するたびに箔２のカスがブランケットに付着する状況においては、頻繁にブランケットを洗浄する必要がある。また、ブランケットを洗浄し、新たに箔２上に印刷画像を形成するには、画像形成用インキが安定するまで、ダミーの印刷を行う必要もあり、印刷物の生産性の低下や、コスト高へとつながる。
【００２２】
そこで、本発明では、箔２上にオフセット印刷法を用いて印刷画像を形成する前に、オフセット印刷法を用いて、箔２上にメジウム層１０を形成している点を特徴とする。この特徴を有する本発明によれば、メジウム層１０の形成時に、メジウム層を形成するためのブランケットに箔のカスが付着されることから、メジウム層１０を形成する段階で、積層体３に存在する箔２のカスを除去することができる。これにより、オフセット印刷法による印刷画像を形成するために用いられるブランケットに箔のカスが付着することを防止でき、印刷画像の形成に用いられるブランケットの洗浄回数を大幅に低減させることができる。また、メジウム層１０を形成するためのブランケットに付着した箔のカスは、ブランケットに堆積するとともに、その一部は、繰り返しメジウム層を形成していくときに、メジウム層内に取り込まれた状態で箔２上に再転写される。本発明では、本工程の後にメジウム層を乾燥する工程を有することから、メジウム層１０内に取り込まれた箔のカスは、積層体３上に設けられるメジウム層１０内に固定される。したがって、積層体３上にメジウム層とともに再転写された箔のカスが、印刷画像を形成するために用いられるブランケットに付着してしまうことも併せて防止できる。
【００２３】
なお、上記で説明した画像形成に用いられるブランケットと同様に、メジウム層１０の形成時に、積層体３上に存在する箔２のカスはメジウムインキによってとられていき、メジウム層を形成するためのブランケットに箔２のカスは堆積していく。そして、同一のブランケットを使用し続けた場合には、ブランケットに堆積する箔のカスによって、ブランケットに転写されるメジウムインキの転写量は減少していき、箔２上に形成されるメジウム層１０の厚みは低下していく。しかしながら、メジウム層１０は透明性を有する層であることから、本発明によって形成される印刷物の品質に影響を与えるものではない。したがって、メジウム層１０を形成するためのブランケットへの箔２のカスが堆積していき、メジウム層１０の厚みが低下していった場合であっても、本発明によって形成される印刷物の品質は担保される。つまり、メジウム層１０を形成するためのブランケットにカスが堆積していった場合であっても、上記で説明した印刷画像を形成するためのブランケットの如く、頻繁なブランケットの洗浄を必要としない。また、メジウム層１０の形成に用いられるブランケットと、印刷画像の形成に用いられるブランケットが同一である場合には、メジウム層を形成後にブランケットを洗浄する必要があるが、本発明では、上記で説明したように印刷画像を形成するためのブランケットの洗浄回数を大幅に低減させることができることから、メジウム層の形成に用いられるブランケットの洗浄を行う場合であっても、全体としてのブランケットの洗浄回数は大幅に低減される。
【００２４】
メジウム層１０の形成に用いられるメジウムインキは、透明性を有するインキであり、従来公知のものを適宜選択して用いることができる。特に、紫外線で硬化するＵＶメジウムインキは、後述する乾燥工程での乾燥が容易であり好ましい。このようなメジウムインキは市販品をそのまま用いることができ、市販品のメジウムインキとしては、例えば、ダイキュアアビリオメジウム（ＤＩＣ（株）製）等を使用可能である。
【００２５】
メジウム層１０は、箔２の全面に形成されていてもよく、箔２の表面の一部に形成されていてもよい。なお、印刷画像の形成に用いられるブランケットへの箔２のカスの付着をより効果的に防止するためには、メジウム層１０を形成する段階で、積層体３上に存在する箔２のカスを全て除去しておくことが好ましい。この点を考慮すると、箔２の全面にメジウム層１０が形成されていることが好ましい。
【００２６】
（メジウム層乾燥工程）
メジウム層乾燥工程（Ｓ３）は、図２（ｃ）に示すように箔２上に形成されたメジウム層１０を乾燥する工程である。本工程によって、メジウム層内に取り込まれて積層体３上に再転写される箔２のカスをメジウム層１０ａ内に固定することができ、印刷画像の形成に用いられるブランケットに、積層体３上にメジウム層１０とともに再転写された箔２のカスが付着することが防止される。なお、図２（ｃ）中の符号１０ａは乾燥後のメジウム層を示している。
【００２７】
メジウム層１０の乾燥方法について特に限定はなく、従来公知の乾燥方法を適宜選択して用いることができる。例えば、常温乾燥、温風乾燥等の方法を用いることができる。また、メジウム層１０を形成するためのメジウムインキとしてＵＶメジウムインキを用いた場合には紫外線を照射することで短時間での乾燥が可能となる。
【００２８】
（画像形成工程）
画像形成工程（Ｓ４）は、図２（ｄ）に示すようにオフセット印刷法を用いて、乾燥後のメジウム層１０ａ上に印刷画像を形成する工程である。本工程によって、メジウム層１０ａを介して箔２上に印刷画像が形成された印刷物１００が製造される。
【００２９】
オフセット印刷法による印刷画像３０の形成は、上記メジウム層１０の形成と同様に、従来公知のオフセット印刷装置を用いて形成することができ、ブランケット上に転写された画像形成用のインキを、メジウム層１０上へ再転写することでメジウム層１０上に印刷画像３０が形成される。
【００３０】
本工程で用いられるブランケットは、メジウム層１０の形成に用いられるブランケットと同一のブランケットであってもよく、異なるブランケットであってもよい。なお、同一のブランケットを用いて印刷画像の形成を行う場合には、本工程を行う前に、ブランケットを洗浄する必要がある。なお、メジウム層１０の形成に用いられるブランケットは、上記で説明したように、箔２が付着した状態であっても、箔２上に繰り返してメジウム層１０を形成することができることから、箔２のカスが大量に堆積してメジウム層１０の形成ができなくなる寸前までメジウム層１０を形成し、その後ブランケットの洗浄を行えばよい。
【００３１】
上記で説明したように、メジウム層形成工程、メジウム層乾燥工程によって箔２のカスは、メジウム層１０の形成に用いられるブランケットに付着されて除去されている、或いはメジウム層１０ａ内に固定された状態で保持されている。したがって、メジウム層１０上にオフセット印刷法を用いて印刷画像を形成する本工程では、印刷画像を形成するためのブランケットに箔２のカスが付着することが大幅に低減され、ブランケットの洗浄を要することなく、長期間にわたって安定した印画品質の印刷画像を形成することができる。
【００３２】
本工程において形成される印刷画像について特に限定はなく、例えば、３色、或いは４色を用いたオフセット印刷画像や、白色のオフセット印刷画像、これらを組合せた印刷画像を挙げることができる。組合せた印刷画像としては、例えば、メジウム層１０ａ上にオフセット白ベタ印刷画像を形成した後に、白ベタ印刷画像上に４色のオフセット印刷画像を形成することで得られる印刷画像等を挙げることができる。
【符号の説明】
【００３３】
１・・・基材
２・・・箔
３・・・積層体
１０・・・メジウム層
１０ａ・・・乾燥後のメジウム層
３０・・・印刷画像
１００・・・印刷物
【図１】
2014061618.tif 000003
【図２】
2014061618.tif 000004